(57)【要約】【課題】上下スペースに余裕が少ない筐体を有する室外機にも有効に適用することができ、また機械室への着脱が容易で、冷却器５０で直接冷却できない発熱部品も冷却できるようにした電装品モジュールを提供する。【解決手段】電装品モジュール２００は、メイン基板２６０と、パワーデバイス２７７が搭載されるパワー基板２７０と、メイン基板２６０とパワー基板２７０が搭載される固定板２１０とを備える。冷却器３００は、パワーデバイス２７７に熱的に結合されるヒートシンク３１０と、ヒートシンク３１０を冷媒配管３０Ｌに取り付けるためのカバー３２０とで構成される。カバー３２０に仕切板１９９の通風口１９９ａを流れる空気流で冷却される放熱フィン３２４が設けられている。【選択図】図８
2019163878.tif 000002
【特許請求の範囲】
【請求項１】
筐体が仕切板によって、少なくとも送風ファンが配置される送風機室と、少なくとも電装品モジュール、該電装品モジュールのパワーデバイスを冷却する冷却器、及び該冷却器が取り付けられる冷媒配管が配置される機械室とに区画され、前記仕切板に前記送風機室と前記機械室とを連通させる通風口が形成された空気調和機の室外機であって、
前記電装品モジュールは、メイン基板と、前記パワーデバイスが搭載されるパワー基板と、正面に前記メイン基板が搭載され裏面に前記パワー基板が搭載され前記機械室に取り付けられる固定板とを備え、
前記冷却器は、前記パワーデバイスに熱的に結合されるヒートシンクと、該ヒートシンクを前記冷媒配管に取り付けるためのカバーとを有し、該カバーに前記仕切板の前記通風口を流れる空気流で冷却される放熱フィンが設けられていることを特徴とする空気調和機の室外機。
【請求項２】
請求項１に記載の空気調和機の室外機において、
前記ヒートシンクは、前記パワーデバイスに接触する厚板部と、前記冷媒配管をガイドする第１溝と、一方の側端に形成された第１取付部と他方の側端に形成された第２取付部とを備え、
前記カバーは、前記冷媒配管をガイドする第２溝と、前記ヒートシンクの前記第１取付部に係合するフック部と、前記ヒートシンクの前記第２取付部に固定される押え部とを備えることを特徴とする空気調和機の室外機。
【請求項３】
請求項２に記載の空気調和機の室外機において、
前記冷却部の前記カバーは、前記放熱フィン及び前記放熱フィンの裏面に設けられた凸部を有する放熱板と、該放熱板が取り付けられるカバー本体とを備え、
該カバー本体は、前記放熱板の凸部を前記ヒートシンクに接触させるために形成された開口と、前記フック部と、前記押え部に形成され前記第２取付部に係合する弾性爪とを有することを特徴とする空気調和機の室外機。
【請求項４】
請求項２に記載の空気調和機の室外機において、
前記冷却部の前記カバーは、前記放熱フィンを有する放熱板と、該放熱板が取り付けられるカバー本体とを備え、
該カバー本体は、前記フック部と前記押え部とを備えることを特徴とする空気調和機の室外機。
【請求項５】
請求項１乃至４のいずれか１つに記載の空気調和機の室外機において、
前記放熱フィンは、個々のフィンが前記空気流の流れる方向に沿って配置されていることを特徴とする空気調和機の室外機。
【発明の詳細な説明】
【技術分野】
【０００１】
本発明は、電装品モジュールに搭載されたパワーデバイスを冷媒配管に取り付けた冷却器で冷却する空気調和機の室外機に関する。
【背景技術】
【０００２】
一般的な空気調和機は、図１６に示すように、室外に設置される室外機１０と室内に設置される室内機２０とを備えている。室外機１０と室内機２０は、冷媒配管３０によって接続され蒸気圧縮式冷凍サイクルを形成している。
【０００３】
室外機１０には、室外空気と冷媒を熱交換する室外熱交換器１１、送風ファン１１Ｆ、冷媒を圧縮する圧縮機１２、圧縮機１２から吐き出された潤滑油及び冷媒の混合流体から潤滑油を分離する油分離器１３、流入した冷媒を膨張させて所定の圧力に減圧させる膨張弁１４、流入した冷媒を気液分離するアキュムレータ１５、暖房運転と冷房運転を切り替える四方弁１６などが設けられている。また、室内機２０には、室内空気と冷媒を熱交換する室内熱交換器２１、送風ファン２１Ｆなどが設けられている。そして、冷媒配管３０は、これら室外熱交換器１１、圧縮機１２、油分離器１３、膨張弁１４、アキュムレータ１５、四方弁１６、及び室内熱交換器２１を接続している。冷媒配管３０は、液側冷媒配管３０Ｌとガス側冷媒配管３０Ｇとを含む。
【０００４】
室外機１０は、図１７に示すように、筐体１７の内部が仕切板１７１によって左右方向に、送風機室１０Ａと機械室１０Ｂとに区画されている。そして、送風機室１０Ａには、前述した室外熱交換器１１と送風ファン１１Ｆが配置されている。機械室１０Ｂには、前述した圧縮機１２、油分離器１３、膨張弁１４、アキュムレータ１５、四方弁１６などが収容され、これらは図１７に示すように筐体１７の前面の図示しないサービスパネルを取り外すことにより、外部から視認可能となっている。
【０００５】
この機械室１０Ｂには、さらに、その上下方向のほぼ中間位置に電装品モジュール４０が配置されている。この電装品モジュール４０は、空気調和機の全体の動作を制御する制御回路、空気調和機の各種設定を行うための設定回路、空気調和機の状態を表示する表示回路、外部から供給される交流電力を直流電力に変換して出力するコンバータ回路、コンバータ回路から出力された直流電力を交流電力に変換して出力するインバータ回路、その他の回路などを搭載したモジュールであり、プリント基板４１にそれらの回路を実現するための複数の電子部品が搭載されている。プリント基板４１は、機械室１０Ｂの奥側に配管スペースを確保できるように、１枚で構成されている。
【０００６】
図１８に電装品モジュール４０の正面を示す。プリント基板４１は、機械室１０Ｂ内に起立した姿勢で取り付けられている。このプリント基板４１は上下方向に弱電領域４１Ａと強電領域４１Ｂに分割されている。
【０００７】
弱電領域４１Ａには、前記した制御回路の一部を構成するマイコン等の電子部品、設定回路を構成するスイッチ４１Ａ１やプラグを抜き差しする小電力用コネクタ４１Ａ２などの操作のための電子部品、表示回路を構成するＬＥＤ４１Ａ３などの弱電系の電子部品が搭載される。強電領域４１Ｂには、前記した制御回路の残りを構成する電力変換を行うための強電系の複数の電子部品、例えばコンバータ回路のＩＣ、インバータ回路のＩＣなどのパワーデバイス４１Ｂ１、平滑用の大容量電解コンデンサ４１Ｂ２、大電力用コネクタ４１Ｂ３などの部品が搭載される。
【０００８】
強電領域４１Ｂには、さらに、パワーデバイス４１Ｂ１で発生する熱を冷却するための冷却器５０が配置されている。この冷却器５０は冷媒配管３０の液側冷媒配管３０Ｌに取り付けられるような形状の図示しないヒートシンクを備える。そのヒートシンクはパワーデバイス４１Ｂ１に熱的に結合させるようプリント基板４１の正面側に図示しないサービスパネル側に向けて配置されている。液側冷媒配管３０Ｌには、冷房運転時には室外熱交換器１１で凝縮した冷媒が流れ、暖房運転時には室内熱交換器２１で凝縮され膨張弁１４で減圧された冷媒が流れるので、その冷媒温度によって冷却器５０のヒートシンクが冷却され、パワーデバイス４１Ｂ１の温度が所定値以下に保持される。以上説明した空気調和機については、特許文献１に記載がある。
【先行技術文献】
【特許文献】
【０００９】
【特許文献１】特許第５４７２３６４号公報
【発明の概要】
【発明が解決しようとする課題】
【００１０】
ところで、上記した室外機１０は、パワーデバイス４１Ｂ１で発生した熱を冷媒配管３０Ｌの冷媒によって冷却するものである。このため、冷媒冷却効果は冷媒配管３０Ｌの温度に大きく依存する。よって、圧縮機１２が動作している、つまり冷媒が冷媒配管３０を循環しているときは冷却効果が大きいが、保護動作などによって圧縮機１２が停止して冷媒循環が停止しているときは冷却効果が減退する。圧縮機はパワーデバイス４１Ｂ１の温度が所定値以下になるまでは再起動されないので、それまで待機しなければならず、冷却時間が長くなって再起動が遅れてしまう問題があった。
【００１１】
本発明の目的は、保護動作などで圧縮機が停止した場合であってもパワーデバイスの冷却が効果的に行われるようにして、部品冷却に長い時間がかからないようにした空気調和機の室外機を提供することである。
【課題を解決するための手段】
【００１２】
上記目的を達成するために、請求項１にかかる発明は、筐体が仕切板によって、少なくとも送風ファンが配置される送風機室と、少なくとも電装品モジュール、該電装品モジュールのパワーデバイスを冷却する冷却器、及び該冷却器が取り付けられる冷媒配管が配置される機械室とに区画され、前記仕切板に前記送風機室と前記機械室とを連通させる通風口が形成された空気調和機の室外機であって、前記電装品モジュールは、メイン基板と、前記パワーデバイスが搭載されるパワー基板と、正面に前記メイン基板が搭載され裏面に前記パワー基板が搭載され前記機械室に取り付けられる固定板とを備え、前記冷却器は、前記パワーデバイスに熱的に結合されるヒートシンクと、該ヒートシンクを前記冷媒配管に取り付けるためのカバーとを有し、該カバーに前記仕切板の前記通風口を流れる空気流で冷却される放熱フィンが設けられていることを特徴とする。
請求項２にかかる発明は、請求項１に記載の空気調和機の室外機において、前記ヒートシンクは、前記パワーデバイスに接触する厚板部と、前記冷媒配管をガイドする第１溝と、一方の側端に形成された第１取付部と他方の側端に形成された第２取付部とを備え、
前記カバーは、前記冷媒配管をガイドする第２溝と、前記ヒートシンクの前記第１取付部に係合するフック部と、前記ヒートシンクの前記第２取付部に固定される押え部とを備えることを特徴とする。
請求項３にかかる発明は、請求項２に記載の空気調和機の室外機において、前記冷却部の前記カバーは、前記放熱フィン及び前記放熱フィンの裏面に設けられた凸部を有する放熱板と、該放熱板が取り付けられるカバー本体とを備え、該カバー本体は、前記放熱板の凸部を前記ヒートシンクに接触させるために形成された開口と、前記フック部と、前記押え部に形成され前記第２取付部に係合する弾性爪とを有することを特徴とする。
請求項４にかかる発明は、請求項２に記載の空気調和機の室外機において、前記冷却部の前記カバーは、前記放熱フィンを有する放熱板と、該放熱板が取り付けられるカバー本体とを備え、該カバー本体は、前記フック部と前記押え部とを備えることを特徴とする。
請求項５にかかる発明は、請求項１乃至４のいずれか１つに記載の空気調和機の室外機において、前記放熱フィンは、個々のフィンが前記空気流の流れる方向に沿って配置されていることを特徴とする。
【発明の効果】
【００１３】
本発明によれば、パワーデバイスを冷却する冷却器に放熱フィンを設けるとともにその放熱フィンが送風ファンによって生じる空気流によって冷却されるようにしたので、保護動作などで圧縮機が停止した場合であっても送風ファンによりパワーデバイスを効果的に冷却でき、冷却時間が短くなり、再起動までの時間を短くすることができる。
【図面の簡単な説明】
【００１４】
【図１】本発明の実施例の室外機の斜視図である。
【図２】サービスパネルを取り外した同室外機の斜視図である。
【図３】機械室から電装品モジュールを取り外した状態の同室外機の斜視図である。
【図４】電装品モジュールと冷却器の展開斜視図である。
【図５】上フレームと下フレームを仕切板へ取り付ける取付説明図である。
【図６】冷却器の斜視図である。
【図７】電装品モジュールの縦断面図である。
【図８】図７のＡ-Ａ線の横断面図である。
【図９】室外機の天面パネルを取り外した平面図である。
【図１０】室外機の右側面パネルを取り外した右側面図である。
【図１１】メイン基板の正面図である。
【図１２】パワー基板の正面図である。
【図１３】電装品モジュールの冷却器を冷却する空気流の経路の説明図である。
【図１４】別の冷却器の説明図である。
【図１５】更なる別の冷却器の説明図である。
【図１６】空気調和機の冷媒回路の回路図である。
【図１７】従来の室外機のサービスパネルを取り外した正面図である。
【図１８】従来の電装品モジュールの正面図である。
【発明を実施するための形態】
【００１５】
図１〜図３に本発明の実施例の室外機１００を示す。この室外機１００の筐体１１０は、前面パネル１１１、その前面パネル１１１の右横のサービスパネル１１２、右側面パネル１１３、左側面パネル１１４、天面パネル１１５、背面パネル１１６、底面パネル１１７を備え、底面パネル１１７にはスタンド１１８が取り付けられている。この筐体１１０は仕切板１１９によって、正面パネル１１１の奥側が送風機室１１０Ａになり、サービスパネル１１２の奥側が機械室１１０Ｂになるように、左右方向に区画されている。仕切板１１９にはその上部に、機械室１１０Ｂと送風機室１１０Ａを連通させる通風口１１９ａが形成されている。
【００１６】
そして、送風機室１１０Ａに、前述した室外熱交換器１１や送風ファン１１Ｆが配置されている。また、機械室１１０Ｂに、前述した冷媒配管３０、圧縮機１２、膨張弁１４、アキュムレータ１５、サブアキュムレータ１５Ａ、四方弁１６、電装品モジュール２００などが収容されている。機械室１１０Ｂは、サービスパネル１１２を取り外すことにより、室外機１００の前面側から視認可能となっている。
【００１７】
図４〜図１０に電装品モジュール２００を示す。電装品モジュール２００は、正面がサービスパネル１１２の裏面と対面するよう機械室１１０Ｂに配置される固定板２１０と、固定板２１０の上部にネジ止めされる長尺形状の上フレーム２２０と、固定板２１０の下部にネジ止めされる長尺形状の下フレーム２３０と、上フレーム２２０を仕切板１１９に取り付ける取付金具２４０と、下フレーム２３０を仕切板１１９に取り付ける取付金具２５０と、制御回路の一部を構成する電子部品やその他の電子部品が搭載されるメイン基板２６０と、制御回路の残りの部分を構成する電子部品やその他の電子部品、後記するパワーデバイス２７７が搭載されるパワー基板２７０を備える。
【００１８】
このように、電装品モジュール２００のプリント基板はメイン基板２６０とパワー基板２７０に分割されていて、メイン基板２６０は後記する裏面２６０ｂが固定板２１０の後記する正面２１１ａに対面するように固定板２１０に搭載され、パワー基板２７０は後記する裏面２７０ｂが固定板２１０の後記する裏面２１１ｂに対面するよう固定板２１０に搭載される。
【００１９】
３００は冷却器であり、後記するように冷媒配管３０ＬのＵ字折曲部３１に取り付けられ、且つ上フレーム２２０と下フレーム２３０に跨るように、その上フレーム２２０と下フレーム２３０に取り付けられる。
【００２０】
固定板２１０は、正面２１１ａにメイン基板２６０が搭載され裏面２１１ｂにパワー基板２７０が搭載される本体部２１１と、その本体部２１１の上端から裏面２１１ｂの方向に９０度に折り曲げられた補強用の上横片２１２と、その折曲片２１２の後端から上方に９０度に折り曲げられた取付用の上縦片２１３を備える。また、本体部２１１の下端から正面２１１ａの方向に９０度に折り曲げられた補強用の下横片２１４と、その下横片２１４の前端から下方に９０度に折り曲げられた下縦片２１５とを備える。その下縦片２１５の両端には下方に突出させた取付部２１５ａが形成されている。
【００２１】
上フレーム２２０は、固定板２１０の上縦片２１３にネジ止めされる縦片２２１と、その縦片２２１の上端から後方に９０度に折り曲げられた補強用の上横片２２２と、縦片２１１の左端から前方に向けて４５度に折り曲げられた取付片２２３とを備える。２２４は冷却器３００が取り付けられる端部である。
【００２２】
下フレーム２３０は、固定板２１０の下縦片２１５にネジ止めされる下縦片２３１と、下縦片２３１の上端から後方に９０度に折り曲げられた上横片２３２と、上横片２３２の奥端から上方に９０度に折り曲げられた補強用の上縦片２３３と、下縦片２３１の左端から前方に向けて４５度に折り曲げられた取付片２３４とを備える。そして、下縦片２３１の正面側には端子板４００が取り付けられる。２３５は冷却器３００が取り付けられる端部である。
【００２３】
冷却器３００は、パワー基板２７０の正面２７０ａに搭載された後記するパワーデバイス２７７に熱的に結合されるアルミニウム製のヒートシンク３１０と、そのヒートシンク３１０に形成された断面が半円形状の２個の溝３１１に嵌め込まれる液側冷媒配管３０ＬのＵ字折曲部３１と、そのＵ字折曲部３１をヒートシンク３１０に固定するためのアルミニウム製のカバー３２０とを有する。ヒートシンク３１０は、溝３１１に加えて、パワーデバイス２７７が押し付けられて熱的に結合する厚板部３１２と、その厚板部３１２の一方の側端に形成された取付部３１３と他方の側端に形成された取付部３１４を有する。カバー３２０は、液側冷媒配管３０ＬのＵ字折曲部３１に嵌め込まれる断面が半円形状の２個の溝３２１と、一方の側端に形成されたフック部３２２と、他方の側端に形成された押え部３２３と、溝３２１が形成された面と反対面に形成された放熱フィン３２４を備える。図６にこの冷却器３００の詳細を示した。
【００２４】
メイン基板２６０はその正面２６０ａに、前記したように制御回路の一部を構成する電子部品やその他の電子部品が搭載されている。即ち、図１１に示すように、表示器としてのＬＥＤランプ２６１ａ、操作部としてのディップスイッチ２６１ｂやボタンスイッチ２６１ｃなどを含む表示設定回路２６１、制御回路の一部を構成するマイクロコンピュータ等の制御ＩＣ２６２、周辺部に配置される複数のコネクタ２６３、膨張弁１４や四方弁１６を駆動するアクチュエータ駆動回路２６４、配管３０の温度を検出する図示しないサーミスタに接続される温度検出回路２６５などが搭載されている。２６０ｂはメイン基板２６０の裏面である。２６０ｃは上端、２６０ｄは下端、２６０ｅは左端、２６０ｆは右端である。このメイン基板２６０は、裏面２６０ｂが固定板２１０の本体部２１１の正面２１１ａと対面するように、その正面２１１ａに搭載される。
【００２５】
パワー基板２７０はその正面２７０ａに、前記したように制御回路の残りの部分を構成する後記するパワーデバイス２７７を含む電子部品が搭載されている。即ち、図１２に示すように、整流用のダイオードブリッジ２７１ａ、バイポーラトランジスタのゲート部分にＭＯＳＦＥＴを組み込み動作抵抗を小さくしたＩＧＢＴ（Insulated Gate Bipolar Transistor）素子２７１ｂ、高速動作用のＦＲＤ（Fast Recovery Diode）素子２７１ｃ、力率改善用のＰＦＣ（Power Factor Correction）コイル２７１ｄ、平滑用の電解コンデンサ２７１ｅが搭載される。これらダイオードブリッジ２７１ａ、ＩＧＢＴ素子２７１ｂ、ＦＲＤ素子２７１ｃ、ＰＦＣコイル２７１ｄ、電解コンデンサ２７１ｅなどは、外部から供給される交流電力を直流電力に変換して出力するコンバータ回路２７１を構成する。さらに、駆動回路や自己保護機能が組み込まれコンバータ回路２７１から供給される交流電力を直流電力に変換して出力するインバータ回路を形成するＩＰＭ（Intelligent Power Module）素子２７２も搭載されている。さらに、スイッチング電源回路２７３を形成するスイッチングトランス２７３ａやスイッチングＩＣ２７３ｂなどの素子も搭載されている。さらに、コンデンサ２７４ａやコモンモードチョークコイル２７４ｂを含む外来ノイズ及び自発ノイズの対策用のＥＭＣ（ElectroMagnetic Compatibillity）フィルタ回路２７４も搭載されている。２７０ｂはパワー基板２７０の裏面である。２７０ｃは上端、２７０ｄは下端、２７０ｅは左端、２７０ｆは右端である。ダイオードブリッジ２７１ａ、ＩＧＢＴ素子２７１ｂ、ＦＲＤ素子２７１ｃ、ＩＰＭ素子２７２などは、発熱の大きなパワーデバイス２７７であり、左端２７０ｅの近傍に縦並びで搭載されている。このパワー基板２７０は、裏面２７０ｂが固定板２１０の本体部２１１の裏面２１１ｂと対面するように、その裏面２１１ｂに搭載される。冷却器３００は、パワーデバイス２７７に当接される。
【００２６】
さて、電装品モジュール２００を室外機１００の機械室１１０Ｂに配置するには、まず仕切板１１９に、斜面２４１を有する取付金具２４０と、斜面２５１を有する取付金具２５０とを予め取り付けておく。そして、図５に示すように、上フレーム２２０の取付片２２３を取付金具２４０の斜面２４１にネジ止めし、下フレーム２３０の取付片２３４を取付金具２５０の斜面２５１にネジ止めする。これにより、上フレーム２２０と下フレーム２３０が、仕切板１１９に片持ち支持の形で横姿勢で取り付けられる。
【００２７】
次に、図７に示すように、上フレーム２２０の縦片２２１の端部２２４と下フレーム２３０の上部縦片２３３の端部２３５の間に跨るように、冷却器３００のヒートシンク３１０をネジＢ１，Ｂ２で取り付ける。さらに、このヒートシンク３１０の溝３１１に冷媒配管３０ＬのＵ字折曲部３１を嵌め込んでから、図８に示すように、カバー３２０のフック部３２２をヒートシンク３１０の一方の取付部３１３に係合し、押え部３２３をヒートシンク３１０の他方の取付部３１４に押し付けて、その押え部３２３を取付部３１４に３カ所のネジＢ３で固着する。この作業は室外機１００の背面パネル１１６を取り外した状態で行われる。以上によって、上フレーム２２０の端部２２４と下フレーム２３０の端部２３５の間に跨るように、且つヒートシンク３１０の厚板部３１２がサービスパネル１１２の方向を向くように、冷却器３００が取り付けられる。
【００２８】
また、固定板２１０の本体部２１１の正面２１１ａにメイン基板２６０を搭載し、裏面２１１ｂにパワー基板２６０を搭載しておく。そして、これらメイン基板２６０とパワー基板２７０が搭載された固定板２１０を、その上縦片２１３が上フレーム２２０の縦片２２１に、その下縦片２１５が下フレーム２３０の下縦片２３１に合わさるように、ネジＢ４、Ｂ５によって取り付ける。これにより、パワー基板２７０のパワーデバイス２７７は、冷却器３００のヒートシンク３１０の厚板部３１２に対面して押し付けられ、そこで熱的な結合が行われる。以上の取り付けによって、電装品モジュール２００のパワー基板２７０は、仕切板１１９の通風口１１９ａの近傍に位置する。このようにして、機械室１１０Ｂに電装品モジュール２００が取り付けられた後に、その電装品モジュール２００のメイン基板２６０のコネクタ２６３に所要の配線が接続されたプラグが接続され、端子板４００に所要の別の配線が接続される。
【００２９】
このように本実施例では、メイン基板２６０とパワー基板２７０を、機械室１１０Ｂに取り付けられる固定板２１０を介在して裏面合わせでその固定板２１０に搭載するので、それらメイン基板２６０とパワー基板２７０の上下方向サイズを、メイン基板２６０とパワー基板２７０を上下に並べて１枚とした場合のプリント基板の上下方向サイズと比較して、大幅に小さくすることができ、上下スペースに余裕が少ない筐体を有する室外機にも有効に適用することができる。
【００３０】
また、パワー基板２７０に搭載されたパワーデバイス２７７は、固定板２１０の裏面２１１ｂ側において冷却器３００に熱的に結合するが、冷却器３００に対しては押し付けられているだけであるので、ネジＢ４，Ｂ５を緩めれば、その冷却器３００に邪魔されることなく、固定板２１０、メイン基板２６０、パワー基板２７０を一体として、機械室１１０Ｂの正面から取り外すことが可能となり、メイン基板２６０とパワー基板２７０のメンテナンスが容易となる。
【００３１】
また、冷却器３００は仕切板１１９の通風口１１９ａの近傍に位置しているため、送風機室１１０Ａの送風ファン１１Ｆが回転することによって、機械室１１０Ｂのサービスパネル１１２の取付部分の隙間や底面パネル１１７に形成されている図示しない開口などから引き込まれた空気流が、図１３に示すように、その通風口１１９ａを経由して送風機室１１０Ａに流れる際に、冷却器３００の放熱フィン３２４を冷却する。
【００３２】
このように、本実施例では、パワーデバイス２７７を冷却する冷却器３００を、パワーデバイス２７７に熱的に結合するヒートシンク３１０とそのヒートシンク３１０に冷媒配管３１を結合させるカバー３２０で形成し、そのカバー３２０に放熱フィン３２４を設けている。そして、送風ファン１１Ｆによって生じる空気流によってその放熱フィン３２４が冷却されるようにしている。このため、保護動作などで圧縮機が停止して冷媒配管３０Ｌの冷媒温度が高くなっている場合であっても、そのとき回転している送風ファン１１Ｆで生じる空気流によって冷却器３００を効果的に冷却できる。したがって、圧縮機動作停止後のパワーデバイス２７７を冷却する時間を短くして、前記した再起動までの時間を短くすることができる。
【００３３】
図１４に別の例の冷却器３００Ａを示す。この放熱器３００Ａは、前述したカバー３２０を、図１４（ｂ）に示す鋼板製のバネ性をもつカバー本体３３０と、図１４（ｃ）に示すアルミニウム製の放熱板３４０により形成している。ヒートシンク３１０は前述したものと同じである。カバー本体３３０は、板形状の本体部３３１の上下と中央の３カ所に分離して開口３３２が形成され、その本体部３３１の一方の端側にはフック部３３３が形成され、他方の側端の押え部３３４には上下と中央に分離して３カ所に弾性爪３３４ａが形成されている。放熱板３４０は、本体部３４１の上下と中央の３カ所に分離して放熱フィン３４２が形成され、放熱フィン３４２の形成された側と反対側となる裏面に、カバー本体３３０の開口３３３２に嵌る形状と大きさの凸部３４３が形成されている。放熱フィン３４２は個々のフィン３４２ａが縦並びとなるように形成されている。
【００３４】
組み立てに当たっては、カバー本体３３０の開口３３２に放熱板３４０の凸部３４３が嵌るように、そのカバー本体３３０に放熱板３４０をネジＢ６によって取り付ける。そして、そのカバー本体３３０のフック部３３３をヒートシンク３１０の一方の取付部３１３に係合し、弾性爪３３４ａをヒートシンク３１０の他方の取付部３１４に係合し、押え部３３４をヒートシンク３１０の取付部３１４にネジ止めすると、図１４（ａ）のように組み立てられる。
【００３５】
この冷却器３００Ａでは、放熱板３４０の裏面の凸部３４３がカバー本体３３０の開口３３２からヒートシンク３１０に接触するので、カバー本体３３０の影響を受けることなくヒートシンク３１０からの熱が放熱板３４０に伝達される。また、放熱板３４０の放熱フィン３４２の個々のフィン３４２ａが縦並びで配置されているので、この冷却器３００Ａが冷媒配管３１に取り付けられたとき、送風ファン１１Ｆによって生じた空気流がそのフィン３４２ａに沿って流れる。つまり、個々のフィン３４２ａが空気流の流れる方向に沿って配置されているので、その空気流による冷却効果が大きくなる。
【００３６】
図１５に更なる別の例の冷却器３００Ｂを示す。この放熱器３００Ｂも、前述したカバー３２０を、図１５（ｂ）に示すアルミニウム製のカバー本体３５０と、図１５（ｃ）に示すアルミニウム製の放熱板３４０により構成している。カバー本体３５０は、平面部３５１の裏面に冷媒配管３１が嵌る半円形状の２個の溝３５２が形成され、一方の側端にはフック部３５３が形成され、他方の側端は押え部３５４となっている。
【００３７】
組み立てに当たっては、まず、カバー本体３５０に放熱板３４０をネジＢ７によって取り付ける。そして、そのカバー本体３５０のフック部３５３をヒートシンク３１０の一方の取付部３１３に係合し、押え部３５４を他方の取付部３１４にネジ止めすると、図１５（ａ）のように組み立てられる。
【００３８】
この冷却器３００Ｂでは、放熱板３４０の裏面の凸部３４３がカバー本体３５０に接触しそのカバー本体３５０がヒートシンク３１０に接触するので、ヒートシンク３１０からの熱がカバー本体３５０を経由して放熱板３４０に伝達される。放熱板３４０の放熱フィン３４２の個々のフィン３４２ａが縦並びで配置されていることの効果は、冷却器３００Ａの場合と同じである。
【符号の説明】
【００３９】
３０Ｌ：液側冷媒配管、３１：Ｕ字折曲部
１００：室外機、１１０：筐体、１１０Ａ：送風機室、１１０Ｂ：機械室、１１１：正面パネル、１１２：サービスパネル、１１３：右側面パネル、１１４：左側面パネル、１１５：天面パネル、１１６：背面パネル、１１７：下面パネル、１１８：スタンド、１１９：仕切板、１１９ａ：通風口
２００：電装品モジュール
２１０：固定板、２１１：本体部、２１１ａ：正面、２１１ｂ：裏面、２１２：上横片、２１３：上縦片、２１４：下横片、２１５：下縦片
２２０：上フレーム、２２１：縦片、２２２：横片、２２３：取付片
２３０：下フレーム、２３１：下縦片、２３２：上横片、２３３：上縦片、２３４：取付片
２４０，２５０：取付金具
２６０：メイン基板、２６０ａ：正面、２６０ｂ：裏面
２７０：パワー基板、２７０ａ：正面、２７０ｂ：裏面、２７７：パワーデバイス
３００，３００Ａ，３００Ｂ：冷却器、３１０：ヒートシンク、３２０：カバー、３２４：放熱フィン、３３０，３５０：カバー本体、３４０：放熱板、３４２：放熱フィン、３４２ａ：フィン
４００：端子板
【図１】
2019163878.tif 000003
【図２】
2019163878.tif 000004
【図３】
2019163878.tif 000005
【図４】
2019163878.tif 000006
【図５】
2019163878.tif 000007
【図６】
2019163878.tif 000008
【図７】
2019163878.tif 000009
【図８】
2019163878.tif 000010
【図９】
2019163878.tif 000011
【図１０】
2019163878.tif 000012
【図１１】
2019163878.tif 000013
【図１２】
2019163878.tif 000014
【図１３】
2019163878.tif 000015
【図１４】
2019163878.tif 000016
【図１５】
2019163878.tif 000017
【図１６】
2019163878.tif 000018
【図１７】
2019163878.tif 000019
【図１８】
2019163878.tif 000020